(57)【要約】  【課題】  上部に枢支部を備えた吸込グリルを、その下端部に手指を掛けて容易に回動できるようにした空気調和機を提供する。  【解決手段】  吸込口１と吹出口２とを上下に備え、前記吸込口１に、上端部に枢支部５を備え下端部７を前記吹出口２の上面前端部に位置させた吸込グリル６を設け、前記吹出口２に、同吹出口２を開閉する上下風向板９を回動自在に軸支してなる空気調和機において、前記上下風向板９の先端部10が、前記吹出口２を閉じた際、前記吸込グリル６下端部の内側に位置するように折り曲げた。【選択図】  図１
2005188847.tif 000002
【特許請求の範囲】
【請求項１】
吸込口と吹出口とを上下に備え、前記吸込口に、上端部に枢支部を備え下端部を前記吹出口の上面前端部に位置させた吸込グリルを設け、前記吹出口に、同吹出口を開閉する上下風向板を回動自在に軸支してなる空気調和機において、
前記上下風向板の先端部が、前記吹出口を閉じた際、前記吸込グリル下端部の内側に位置するように構成されてなることを特徴とする空気調和機。
【請求項２】
前記上下風向板の先端部が、前記吹出口の内側に向けて折り曲げられてなることを特徴とする請求項１に記載の空気調和機。
【発明の詳細な説明】
【技術分野】
【０００１】
本発明は、空気調和機に係わり、より詳細には、上下風向板で吹出口を閉じた際、上部に枢支部を備えた吸込グリルを、その下端部に手指を掛けて容易に回動できるようにした構造に関する。
【背景技術】
【０００２】
従来の空気調和機には、部屋の隅部に設置されても吸込グリルの開閉が容易である室内ユニットを提供するものとして、ユニット本体と、該ユニット本体の前面を開閉自在に覆うように、該ユニット本体に対して該ユニット本体の前面上縁部を支点として回動自在に取り付けられた吸込グリルとを備えた壁掛け型の空気調和ユニットにおいて、上記吸込グリルの底辺部には、上記ユニット本体に対して該吸込グリルを開放方向に回動させるための指の引っ掛け部が設けられてなるものが開示されていた（例えば、特許文献１参照。）。
【０００３】
上記構成でなる空気調和ユニットにおいて、上記吸込グリルの底辺部に設けられた引っ掛け部に対して指圧力を付与することにより、吸込グリルが容易に回動され、ユニット本体の前面が開口されるようになっていた。
【０００４】
しかしながら、上記引っ掛け部を操作するための着脱操作部が、上記吸込グリルの両側前部に限定して設けられた構成になっていることから、手指を掛ける位置が特定されるため不便であった。
【０００５】
そのため、例えば上記吸込グリル下端部の左右全幅における任意の箇所に手指を掛けることができるようにして、更に上記吸込グリルを回動しやすくすることが望まれていた。
【０００６】
【特許文献１】特開平１１−２０１４９２号公報（第１頁〜第４頁、第１図および第４図）
【発明の開示】
【発明が解決しようとする課題】
【０００７】
本発明は上記の問題点に鑑み、上部に枢支部を備えた吸込グリルを、その下端部に手指を掛けて容易に回動できるようにした空気調和機を提供することを目的とする。
【課題を解決するための手段】
【０００８】
本発明は、上記課題を解決するため、吸込口と吹出口とを上下に備え、前記吸込口に、上端部に枢支部を備え下端部を前記吹出口の上面先端部に位置させた吸込グリルを設け、前記吹出口に、同吹出口を開閉する上下風向板を回動自在に軸支してなる空気調和機において、
前記上下風向板の先端部が、前記吹出口を閉じた際、前記吸込グリル下端部の内側に位置するように構成されている。
【０００９】
また、前記上下風向板の先端部が、前記吹出口の内側に向けて折り曲げられてなる構成となっている。
【発明の効果】
【００１０】
本発明によれば、吹出口を閉じた際、上下風向板の先端部を吸込グリル下端部の内側に位置させるようにしたので、上部に枢支部を備えた吸込グリルを、その下端部に手指を掛けて容易に回動できるようにした空気調和機となる。
【発明を実施するための最良の形態】
【００１１】
以下、本発明の実施の形態を、添付図面に基づいた実施例として詳細に説明する。
図１は本発明による空気調和機の断面図、図２は図１で示すＡ部の吹出口を上下風向板で閉じた状態を示す拡大図、図３は図１で示すＡ部の吹出口を開放した状態を示す拡大図である。
【００１２】
本発明による空気調和機は、図１で示すように、本体の前面上部に設けられた吸込口１と、前面下部に設けられた吹出口２とを結ぶ空気通路に、熱交換器３と送風ファン４とが夫々設けられている。
【００１３】
前記吸込口１には、空気清浄用のフィルタ11が着脱可能に設けられる一方、同フィルタ11を着脱する際、前記吸込口１を開放できるようにするため、枢支部５を上部に備えた吸込グリル６が設けられており、図２で示すように、同吸込グリル６の下端部７に手指12を掛けて前記枢支部５を中心に矢印ａのように回動することにより、開放した前記吸込口１に前記フィルタ11を着脱できるようになっている。
【００１４】
前記吹出口２には、枢支部８によって回動自在に枢支されることにより、運転停止時には前記吹出口２を閉じる一方、運転時には前記吹出口２を開放して上下方向の風向を偏向する上下風向板９または9'が設けられた構成になっている。
【００１５】
これにより、運転停止時には、前記上下風向板９または9'で前記吹出口２を閉じてホコリが侵入しないように、また外観性を損ねないようにすることができるようになり、運転時には、例えば前記上下風向板９または9'を略水平位置に回動して冷房時の冷気を水平方向に向けて送出できるようにしたり、略垂直位置に回動して暖房時の暖気を下方に向けて送出できるようになる。
【００１６】
なお、前記上下風向板９は、前記吹出口２を閉じた時に、少なくともその先端部10が前記吸込グリル６の下端部７の内側に位置するように折り曲げられた構成になっており、前記上下風向板9'は、その先端部が折り曲げられていない状態で前記吸込グリル６の下端部７の内側に位置するように構成されている。
【００１７】
前記上下風向板９を採用した場合には、前記吹出口２を閉じた際、その先端部10が折り曲げられていることから、同上下風向板９を前記吹出口２の内側に位置させる必要がない。
【００１８】
また、前記上下風向板９を採用した場合には、前記吹出口２を閉じた際、その先端部が折り曲げられていないので、同上下風向板９を前記吹出口２の少許内側に位置させることになる。
【００１９】
ここで、上記構成でなる空気調和機において、前記吸込グリル６の下端部７に容易に手指12を掛けることができるようにし、前記枢支部５を中心に回動して前記吸込口１を開放することにより、前記フィルタ11を容易に着脱できるようにすることでメンテナンス性を向上できるようにした構成について説明する。
【実施例１】
【００２０】
前記上下風向板9'は、前記吹出口２を閉じた際、実施例１として図１乃至図３で示す破線のように、同吹出口２の左右全幅に対応する前記上下風向板9'の先端部を、前記吸込グリル６の下端部７の内側に位置させるように構成されている。
【００２１】
これによって、図２で示すように、前記吸込グリル６の下端部７に手指12を容易に掛けることができるようになり、前記枢支部５を中心に前記吸込グリル６を回動させるのに好適な構成となる。
【実施例２】
【００２２】
前記上下風向板９は、前記吹出口２を閉じた際、実施例２として図１乃至図３で示す実線のように、同吹出口２の左右全幅に対応する前記上下風向板９の先端部10を、前記吸込グリル６の下端部７の内側に位置させるように折り曲げられた構成になっている。
【００２３】
この場合、前記上下風向板９の先端部10は、図２で示す実線のように、前記吹出口２の内側に向けて折り曲げられた構成になっており、これによって、前記上下風向板９の強度を増強させることができるようになり、また、前記上下風向板９で前記吹出口２を閉じた際、同上下風向板９と前記吸込グリル６とに凹凸の少ない外観上の連続性をもたせることができるようになって、より良好な意匠性を実現できる。
【００２４】
なお、前記上下風向板９は、前記吹出口２の左右全幅に対応して、左右全幅にわたる先端部10が折り曲げられた構成になっているので、前記吸込グリル６の下端部７の任意の位置に前記手指12を掛けることができるようになると共に、前記先端部10を折り曲げたことによって強度を増強できるようになっている。
【００２５】
また、例えば冷房運転時には、図３で示すように前記上下風向板９を略水平位置に回動した際、矢印ｂで示すように、折り曲げられた前記上下風向板９の先端部10に沿って冷気が送出されることになり、とくに被空調室が広い場合であっても冷気流を遠方まで届かせることが可能になる。
【００２６】
また、前記吸込グリル６の下端部７には、前記手指12を掛けた際、指先が掛りやすくなるような凹部7aが設けられるようにしてもよい。この凹部7aは、前記吸込グリル６の下端部７の左右全幅にわたって凹設しておくことにより、指先を前記下端部７の任意の箇所に掛けて前記吸込グリル６を回動させることができるようになる。
【００２７】
または、前記吸込グリル６の下端部７に、指先が掛りやすくなるように、例えば目の細かい凹凸状のすべり止め加工を施すようにしてもよい。
【００２８】
以上説明したように、本発明による空気調和機によれば、前記上下風向板９または9'の先端部10を前記吹出口２の左右全幅に対応する前記吸込グリル６の下端部７の内側に位置させたので、前記吹出口２の左右全幅に対応する前記吸込グリル６の下端部７の任意の位置に前記手指12を掛けることができるようになり、前記吸込グリル６を回動し前記吸込口１を開放して、前記フィルタ11を容易に着脱できるようになり、メンテナンス性を向上させることができるようになる。
【図面の簡単な説明】
【００２９】
【図１】本発明による空気調和機の断面図である。
【図２】図１で示すＡ部の吹出口を上下風向板で閉じた状態を示す拡大図である。
【図３】図１で示すＡ部の吹出口を開放した状態を示す拡大図である。
【符号の説明】
【００３０】
１  吸込口
２  吹出口
３  熱交換器
４  送風ファン
５  枢支部
６  吸込グリル
７  下端部
８  支軸部
９，9'  上下風向板
10  先端部
11  フィルタ
12  手指
【図１】
2005188847.tif 000003
【図２】
2005188847.tif 000004
【図３】
2005188847.tif 000005